(57)【要約】【課題】スペックの違いにより外形寸法が異なる製品を、一種類の外装箱に統一して梱包可能とするために使用する梱包用の緩衝体を提供する。【解決手段】一枚の段ボール紙から断面が略Ｌ字状に折り上げられる主緩衝部材と、該主緩衝部材の両端に、一枚の段ボール紙から折り上げられる副緩衝部材を連結して左右１組からなる緩衝体を向かい合わせに配置して外装箱に収容し、一方の緩衝体を形成する主緩衝部材、副緩衝部材と、他方の緩衝体を形成する主緩衝部材、副緩衝部材との間に製品を収納するにあたり、副緩衝部材は、収納する製品の奥行きとなる一方を支持する２つの支持面を備え、製品が大型製品のときは、第１の支持面を折りたたみ第２の支持面で製品の奥行きとなる一方を支持し、製品が小型製品のときは、折りたたんだ第１の支持面を元に戻し、元に戻した第１の支持面で製品の奥行きとなる一方を支持することにより大きさの異なる製品を保護可能としたことを特徴とする。【選択図】図１５
2011235947.tif 000002
【特許請求の範囲】
【請求項１】
一枚の段ボール紙から断面が略Ｌ字状に折り上げられる主緩衝部材と、該主緩衝部材の両端に、一枚の段ボール紙から折り上げられる副緩衝部材を連結して左右１組からなる緩衝体を向かい合わせに配置して外装箱に収容し、前記一方の緩衝体を形成する主緩衝部材、副緩衝部材と、前記他方の緩衝体を形成する主緩衝部材、副緩衝部材との間に製品を収納するにあたり、前記副緩衝部材は、収納する製品の奥行きとなる一方を支持する２つの支持面を備え、前記製品が大型製品のときは、第１の支持面を折りたたみ第２の支持面で製品の奥行きとなる一方を支持し、前記製品が小型製品のときは、折りたたんだ第１の支持面を元に戻し、元に戻した第１の支持面で製品の奥行きとなる一方を支持することにより大きさの異なる製品を保護可能としたことを特徴とする連結組立式緩衝体。
【請求項２】
前記主緩衝部材の中央部は、収納する製品の底面及び側面を支持する水平支持面及び垂直支持面を備え、前記主緩衝部材の一端は、収納する製品の奥行きとなる他方を支持する副緩衝部材の支持面を補強する補強面を備え、前記主緩衝部材の他端は、収納する製品の奥行きとなる一方を支持する副緩衝部材の２つの支持面を補強する補強面を備え、前記補強面は、前記２つの支持面が第２の支持面のときは垂直になし、前記２つの支持面が第１の支持面のときは屈折させたことを特徴とする請求項１記載の連結組立式緩衝体。
【請求項３】
前記副緩衝部材は、収納する製品の奥行きとなる他方を支持する支持面を、緩やかな斜面で支持する支持面とすることを特徴とする請求項１記載の連結組立式緩衝体。
【請求項４】
前記副緩衝部材は、第１の支持面を折りたたみ第２の支持面で製品の奥行きとなる一方を支持するときに、第２の支持面の支持強度を強くするために、前記第２の支持面に連設する補強面を第２の支持面の補強材とすることを特徴とする請求項１記載の連結組立式緩衝体。
【請求項５】
前記副緩衝部材は、折りたたんだ第１の支持面を元に戻し、元に戻した第１の支持面で製品の奥行きとなる一方を支持するときに、元に戻した第１の支持面の支持強度を補強するために、前記第２の支持面に連設する補強面を、前記主緩衝部材の屈折させた補強面に連結させ、元に戻した第１の支持面の補強材とすることを特徴とする請求項１記載の連結組立式緩衝体。
【発明の詳細な説明】
【技術分野】
【０００１】
本発明は、パーソナルコンピュータの様に衝撃に敏感な製品を、段ボール製の外装箱に詰める際に使用する梱包用の緩衝体に関する。詳しくは、スペックの違いにより外形寸法が異なる製品を、一種類の外装箱に統一して梱包可能とするために使用する梱包用の緩衝体に関する。
【背景技術】
【０００２】
一般的に、製品の梱包には、発砲スチロール製パッキンが、その優れた緩衝特性と種々の形状が自由度に得られるため、従来から多用されてきた。ところが、近年、塩化ビニール等の樹脂類と一緒に廃棄物として処理する際に、ダイオキシン発生等の問題が生じ、その使用が困難になってきた。
【０００３】
一方、デスクトップ型のパーソナルコンピュータの様にスペックの違いにより外形寸法が異なる製品の梱包には、外形寸法に合わせて複数の外装箱を用意する必要があるため、保管スペースの確保、保管コストのアップ、納品ミスが発生する等、種々の問題点があった。
【発明の開示】
【発明が解決しようとする課題】
【０００４】
本発明は、上記問題点を解消するため、主緩衝部材とその前後に副緩衝部材を連結して組み立てる緩衝体であって、スペックの違いにより外形寸法が異なる製品を、一種類の外装箱に統一して梱包可能とするために使用する梱包用の緩衝体を提供することを目的とする。
【課題を解決するための手段】
【０００５】
上記目的を達成するため、請求項１の発明は、一枚の段ボール紙から断面が略Ｌ字状に折り上げられる主緩衝部材と、該主緩衝部材の両端に、一枚の段ボール紙から折り上げられる副緩衝部材を連結して左右１組からなる緩衝体を向かい合わせに配置して外装箱に収容し、一方の緩衝体を形成する主緩衝部材、副緩衝部材と、他方の緩衝体を形成する主緩衝部材、副緩衝部材との間に製品を収納するにあたり、副緩衝部材は、収納する製品の奥行きとなる一方を支持する２つの支持面を備え、製品が大型製品のときは、第１の支持面を折りたたみ第２の支持面で製品の奥行きとなる一方を支持し、製品が小型製品のときは、折りたたんだ第１の支持面を元に戻し、元に戻した第１の支持面で製品の奥行きとなる一方を支持することにより大きさの異なる製品を保護可能としたことを特徴とするものである。
【０００６】
また、請求項２の発明は、請求項１記載の連結組立式緩衝体であって、主緩衝部材の中央部は、収納する製品の底面及び側面を支持する水平支持面及び垂直支持面を備え、主緩衝部材の一端は、収納する製品の奥行きとなる他方を支持する副緩衝部材の支持面を補強する補強面を備え、主緩衝部材の他端は、収納する製品の奥行きとなる一方を支持する副緩衝部材の２つの支持面を補強する補強面を備え、補強面は、２つの支持面が第２の支持面のときは垂直になし、２つの支持面が第１の支持面のときは屈折させたことを特徴とするものである。
【０００７】
また、請求項３の発明は、請求項１記載の連結組立式緩衝体であって、副緩衝部材は、収納する製品の奥行きとなる他方を支持する支持面を、緩やかな斜面で支持する支持面とすることを特徴とするものである。
【０００８】
また、請求項４の発明は、請求項１記載の連結組立式緩衝体であって、副緩衝部材は、第１の支持面を折りたたみ第２の支持面で製品の奥行きとなる一方を支持するときに、第２の支持面の支持強度を強くするために、第２の支持面に連設する補強面を第２の支持面の補強材とすることを特徴とするものである。
【０００９】
また、請求項５の発明は、請求項１記載の連結組立式緩衝体であって、副緩衝部材は、折りたたんだ第１の支持面を元に戻し、元に戻した第１の支持面で製品の奥行きとなる一方を支持するときに、元に戻した第１の支持面の支持強度を補強するために、第２の支持面に連設する補強面を、主緩衝部材の屈折させた補強面に連結させ、元に戻した第１の支持面の補強材とすることを特徴とするものである。
【発明の効果】
【００１０】
本発明の連結組立式緩衝体は、一枚の段ボール紙から断面が略Ｌ字状に折り上げられる主緩衝部材と、該主緩衝部材の両端に、一枚の段ボール紙から折り上げられる副緩衝部材を連結して左右１組からなる緩衝体を向かい合わせに配置して外装箱に収容し、一方の緩衝体を形成する主緩衝部材、副緩衝部材と、他方の緩衝体を形成する主緩衝部材、副緩衝部材との間に製品を収納するにあたり、副緩衝部材は、収納する製品の奥行きとなる一方を支持する２つの支持面を備え、製品が大型製品のときは、第１の支持面を折りたたみ第２の支持面で製品の奥行きとなる一方を支持し、製品が小型製品のときは、折りたたんだ第１の支持面を元に戻し、元に戻した第１の支持面で製品の奥行きとなる一方を支持したので、スペックの違いにより外形寸法が異なっても一種類の外装箱に統一することができる。
【００１１】
また、主緩衝部材の中央部は、収納する製品の底面及び側面を支持する水平支持面及び垂直支持面を備え、主緩衝部材の一端は、収納する製品の奥行きとなる他方を支持する副緩衝部材の支持面を補強する補強面を備え、主緩衝部材の他端は、収納する製品の奥行きとなる一方を支持する副緩衝部材の２つの支持面を補強する補強面を備え、補強面は、２つの支持面が第２の支持面のときは垂直になし、２つの支持面が第１の支持面のときは屈折させた複雑な形状にもかかわらず一枚の段ボール紙から折り上げられるので、保管スペースに場所を取らない。
【００１２】
また、副緩衝部材は、収納する製品の奥行きとなる他方を支持する支持面を、緩やかな斜面で支持する支持面としたので、いろいろな外形寸法の製品に対応することができる。
【００１３】
また、副緩衝部材は、第１の支持面を折りたたみ第２の支持面で製品の奥行きとなる一方を支持するときに、第２の支持面の支持強度を強くするために、第２の支持面に連設する補強面を第２の支持面の補強材としたので、いろいろな外形寸法の製品に対応することができ、確実に衝撃をやわらげることができる。
【００１４】
さらに、副緩衝部材は、折りたたんだ第１の支持面を元に戻し、元に戻した第１の支持面で製品の奥行きとなる一方を支持するときに、元に戻した第１の支持面の支持強度を補強するために、第２の支持面に連設する補強面を、主緩衝部材の屈折させた補強面に連結させ、元に戻した第１の支持面の補強材としたので、いろいろな外形寸法の製品に対応することができ、確実に衝撃をやわらげることができる。
【００１５】
以上説明したように、本発明の連結組立式緩衝体によれば、パーソナルコンピュータの様にスペックの違いにより外形寸法が異なる製品であっても、一種類の外装箱に統一して梱包可能とすることができるので、外形寸法に合わせて複数の外装箱を用意する必要もなく、保管スペースの確保、保管コストのアップ、納品ミス等の問題点がなくなる効果がある。
【図面の簡単な説明】
【００１６】
【図１】本発明の実施例を示すもので、左右１組からなる緩衝体のうち一方の緩衝体の斜視図である。
【図２】同上、一方の主緩衝部材の斜視図である。
【図３】同上、製品の前方を支持する一方の副緩衝部材の斜視図である。
【図４】同上、製品の後方を支持する一方の副緩衝部材を示し、（ａ）は大型製品を支持する副緩衝部材の斜視図、（ｂ）は小型製品を支持する副緩衝部材の斜視図である。
【図５】同上、一方の主緩衝部材の展開図である。
【図６】同上、製品の前方を支持する一方の副緩衝部材の展開図である。
【図７】同上、製品の後方を支持する一方の副緩衝部材の展開図である。
【図８】本発明の実施例を示すもので、左右１組からなる緩衝体のうち他方の緩衝体の斜視図である。
【図９】同上、他方の主緩衝部材の斜視図である。
【図１０】同上、製品の前方を支持する他方の副緩衝部材の斜視図である。
【図１１】同上、製品の後方を支持する他方の副緩衝部材を示し、（ａ）は大型製品を支持する副緩衝部材の斜視図、（ｂ）は小型製品を支持する副緩衝部材の斜視図である。
【図１２】同上、他方の主緩衝部材の展開図である。
【図１３】同上、製品の前方を支持する他方の副緩衝部材の展開図である。
【図１４】同上、製品の後方を支持する他方の副緩衝部材の展開図である。
【図１５】大型製品を梱包するために左右１組の緩衝体を外装箱に収容した状態を示す斜視図である。
【図１６】同上、大型製品を梱包した状態を示す斜視図である。
【図１７】同上、大型製品を梱包した状態の前方の副緩衝部材の部分拡大図である。
【図１８】（ａ）は大型製品を梱包した状態の後方の副緩衝部材の部分拡大図、（ｂ）は主緩衝部材の上記に対応した部分拡大図である。
【図１９】フロント部分が湾曲状をした大型製品を梱包した状態の前方の副緩衝部材の部分拡大図である。
【図２０】小型製品を梱包するために左右１組の緩衝体を外装箱に収容した状態を示す斜視図である。
【図２１】同上、小型製品を梱包した状態を示す斜視図である。
【図２２】同上、小型製品を梱包した状態の前方の副緩衝部材の部分拡大図である。
【図２３】（ａ）は小型製品を梱包した状態の後方の副緩衝部材の部分拡大図、（ｂ）は主緩衝部材の上記に対応した部分拡大図である。
【発明を実施するための最良の形態】
【００１７】
本発明の実施の形態を、添付図面に例示した本発明の実施例に基づいて以下に具体的に説明する。
【実施例】
【００１８】
先ず、本発明の実施例として、収納する製品の奥行きとなる一方を製品の後方、他方を製品の前方とみなして、図１〜図１４を参照しながら説明する。図１は、左右１組からなる緩衝体のうち一方の緩衝体の斜視図である。図２は、一方の主緩衝部材の斜視図である。図３は、製品の前方を支持する一方の副緩衝部材の斜視図である。図４は、製品の後方を支持する一方の副緩衝部材の斜視図である。図５は、一方の主緩衝部材の展開図である。図６は、製品の前方を支持する一方の副緩衝部材の展開図である。図７は、製品の後方を支持する一方の副緩衝部材の展開図である。また、図８は、左右１組からなる緩衝体のうち他方の緩衝体の斜視図である。図９は、他方の主緩衝部材の斜視図である。図１０は、製品の前方を支持する他方の副緩衝部材の斜視図である。図１１は、製品の後方を支持する他方の副緩衝部材の斜視図である。図１２は、他方の主緩衝部材の展開図である。図１３は、製品の前方を支持する他方の副緩衝部材の展開図である。図１４は、製品の後方を支持する他方の副緩衝部材の展開図である。
【００１９】
左右１組からなる緩衝体１０のうち、図１に示した形態に組み立てられる一方の緩衝体２０は、図２に示した主緩衝部材２０１と、その両端に副緩衝部材２０３を連結した組立品である。副緩衝部材２０３は、図３に示した前方副緩衝部材２１３及び図４に示した後方副緩衝部材２２３から構成される。
【００２０】
ここで、主緩衝部材２０１は図５に示した１枚の段ボール紙２００から、図２に示した様に、横断面が略Ｌ字状に折り上げられる。また、前方副緩衝部材２１３は図６に示した１枚の段ボール紙２１０から、図３に示した様に、略ロ字状に折り上げられる。また、後方副緩衝部材２２３（２２３ａ、２２３ｂ）は図７に示した１枚の段ボール紙２２０から、図４（ａ）、（ｂ）に示した様に、略カギ状または略ロ字状に折り上げられる。
【００２１】
図２に示した主緩衝部材２０１の中央部は、収納する製品の底面及び側面を支持する水平支持面２０１Ｈと垂直支持面２０１Ｖを備え、主緩衝部材２０１の一端は、前方副緩衝部材２１３の前方支持面２１３Ａを補強する前方補強面２０１ＦＡ、２０１ＦＢを備え、主緩衝部材２０１の他端は、後方副緩衝部材２２３の後方支持面を補強する後方補強面２０１ＲＡ、２０１ＲＢを備える。図３に示した前方副緩衝部材２１３は、緩やかな斜面で製品を前方で支持する前方支持面２１３Ａを備える。図４に示した後方副緩衝部材２２３（２２３ａ、２２３ｂ）は、２つの支持面で製品を後方で支持する後方支持面２２３Ａ、２２３Ｂを備え、製品が大型製品のときは、図４（ａ）に示した様に、第１の後方支持面２２３Ａを折りたたみ第２の後方支持面２２３Ｂで製品の後方を支持する。また、製品が小型製品のときは、図４（ｂ）に示した様に、折りたたんだ第１の後方支持面２２３Ａを元に戻し、元に戻した第１の後方支持面２２３Ａで製品の後方を支持する。
【００２２】
次に、図５、図６、図７に示した段ボール紙２００、２１０、２２０から、主緩衝部材２０１、前方副緩衝部材２１３、後方副緩衝部材２２３（２２３ａ、２２３ｂ）を折り上げ、一方の緩衝体２０を組み立てる手順について詳細に説明する。
【００２３】
図５に示した段ボール紙２００を、図２に示した主緩衝部材２０１の形態に折り上げるには、先ず、予め折り癖がつけられた折目Ｌ２０１〜Ｌ２０８を同方向に直角に折曲し、係合片Ｐ２０１、Ｐ２０２を係合孔Ｒ２０１、Ｒ２０２に係合して略Ｌ字状に折り上げ、水平支持面２０１Ｈ及び垂直支持面２０１Ｖを形成する。次に、予め折り癖がつけられた折目Ｌ２０９１、折目Ｌ２０９２を山折に折曲して前方補強面２０１ＦＡ、２０１ＦＢを形成する。又、予め折り癖がつけられた折目Ｌ２０９５、Ｌ２０９６を折目Ｌ２０２、Ｌ２０３と同様に直角に折曲し、折目Ｌ２０９７を山折に折曲して後方補強面２０１ＲＡ、２０１ＲＢを形成する。
【００２４】
図６に示した段ボール紙２１０を、図３に示した前方副緩衝部材２１３の形態に折り上げるには、予め折り癖がつけられた折目Ｌ２１１、Ｌ２１２、Ｌ２１３を同方向に直角に折曲し、略ロ字状に折り上げ、緩やかな斜面の前方支持面２１３Ａを形成する。
【００２５】
図７に示した段ボール紙２２０を、図４（ａ）に示した後方副緩衝部材２２３ａの形態に折り上げるには、予め折り癖がつけられた折目Ｌ２２１、Ｌ２２２，Ｌ２２３、Ｌ２２５、Ｌ２２６を同方向に直角に折曲し、折目Ｌ２２４を逆方向に直角に折曲して略カギ状とし、第１の後方支持面２２３Ａを折りたたみ第２の後方支持面２２３Ｂを形成する。この状態から図４（ｂ）に示した後方副緩衝部材２２３ｂの形態に折り上げるには、逆方向に直角に折曲したＬ２２４を戻して同方向に直角に折曲して略ロ字状とし、折りたたんだ第１の後方支持面２２３Ａを元に戻し、元に戻した第１の後方支持面２２３Ａを形成する。
【００２６】
このようにして折り上げた前方副緩衝部材２１３、後方副緩衝部材２２３（２２３ａ、２２３ｂ）を主緩衝部材２０１の両端に連結して図１に示した一方の緩衝体２０の形態に組み立てるには、先ず、前方副緩衝部材２１３の前方支持面２１３Ａ及び係合溝Ｍ２１１を主緩衝部材２０１の係合溝Ｍ２０２及び係合溝Ｍ２０１に嵌めこみ、係合片Ｐ２１１を主緩衝部材２０１の係合孔Ｒ２０３に係合して前方副緩衝部材２１３を主緩衝部材２０１の一端に連結する。次に、略カギ状に折り上げられた後方副緩衝部材２２３ａの端片Ｔ２２１を主緩衝部材２０１の係合溝Ｍ２０３に挿入し、主緩衝部材２０１の後方補強面２０１ＲＡ、２０１ＲＢを囲むように巻き付け、係合片Ｐ２２１を係合孔Ｒ２２１及び主緩衝部材２０１の係合孔Ｒ２０４に係合して略カギ状の後方副緩衝部材２２３ａを主緩衝部材２０１の他端に連結する。
【００２７】
略カギ状に折り上げられた後方副緩衝部材２２３ａは、第１の後方支持面２２３Ａを折りたたみ第２の後方支持面２２３Ｂで製品の後方を支持する際に、第２の後方支持面２２３Ｂの支持強度を強くするために、第２の後方支持面２２３Ｂに連設する補強面２２３Ｃを直角に折曲し補強面２２３Ｃに設けられた係合片Ｐ２２２を相対する面の係合孔Ｒ２２２に係合して補強材とする。
【００２８】
なお、この略カギ状の後方副緩衝部材２２３ａから略ロ字状の後方副緩衝部材２２３ｂに転換するには、折目Ｌ２２３、Ｌ２２５を元に戻し、折目Ｌ２２４を逆方向から同方向に変えて直角に折曲すれば良い。その際、略ロ字状の後方副緩衝部材２２３ｂは、折りたたんだ第１の後方支持面２２３Ａを元に戻し、元に戻した第１の後方支持面２２３Ａで製品の後方を支持する際に、第１の後方支持面２２３Ａの支持強度を強くするために、第２の後方支持面２２３Ｂに連設する補強面２２３Ｃを鋭角に折曲し補強面２２３Ｃに設けられた係合片Ｐ２２２を主緩衝部材の屈折させた後方補強面の係合孔Ｒ２０５に係合して補強材とする。
【００２９】
また、左右１組からなる緩衝体１０のうち、図８に示した形態に組み立てられる他方の緩衝体３０は、図９に示した主緩衝部材３０１、その両端に副緩衝部材３０３を連結した組立品である。副緩衝部材３０３は、図１０に示した前方副緩衝部材３１３及び図１１に示した後方副緩衝部材３２３から構成される。
【００３０】
ここで、主緩衝部材３０１は図１２に示した１枚の段ボール紙３００から、図９に示した様に、横断面が略Ｌ字状に折り上げられる。また、前方副緩衝部材３１３は図１３に示した１枚の段ボール紙３１０から、図１０に示した様に、略ロ字状に折り上げられる。また、後方副緩衝部材３２３（３２３ａ、３２３ｂ）は図１４に示した１枚の段ボール紙３２０から、図１１（ａ）、（ｂ）に示した様に、略カギ状または略ロ字状に折り上げられる。
【００３１】
図９に示した主緩衝部材３０１の中央部は、収納する製品の底面及び側面を支持する水平支持面３０１Ｈと垂直支持面３０１Ｖを備え、主緩衝部材３０１の一端は、前方副緩衝部材３１３の前方支持面３１３Ａを補強する前方補強面３０１ＦＡ、３０１ＦＢを備え、主緩衝部材３０１の他端は、後方副緩衝部材３２３の後方支持面を補強する後方補強面３０１ＲＡ、３０１ＲＢを備える。図１０に示した前方副緩衝部材３１３は、緩やかな斜面で製品を前方で支持する前方支持面３１３Ａを備える。図１１に示した後方副緩衝部材３２３（３２３ａ、３２３ｂ）は、２つの支持面で製品を後方で支持する後方支持面３２３Ａ、３２３Ｂを備え、製品が大型製品のときは、図１１（ａ）に示した様に、第１の後方支持面３２３Ａを折りたたみ第２の後方支持面３２３Ｂで製品の後方を支持する。また、製品が小型製品のときは、図１１（ｂ）に示した様に、折りたたんだ第１の後方支持面３２３Ａを元に戻し、元に戻した第１の後方支持面３２３Ａで製品の後方を支持する。
【００３２】
次に、図１２、図１３、図１４に示した段ボール紙３００、３１０、３２０から、主緩衝部材３０１、前方副緩衝部材３１３、後方副緩衝部材３２３（３２３ａ、３２３ｂ）を折り上げ、緩衝体１０のうち他方の緩衝体３０を組み立てる手順について詳細に説明する。
【００３３】
図１２に示した段ボール紙３００を、図９に示した主緩衝部材３０１の形態に折り上げるには、先ず、予め折り癖がつけられた折目Ｌ３０１〜Ｌ３０８を同方向に直角に折曲し、係合片Ｐ３０１、Ｐ３０２を係合孔Ｒ３０１、Ｒ３０２に係合して略Ｌ字状に折り上げ、水平支持面３０１Ｈ及び垂直支持面３０１Ｖを形成する。次に、予め折り癖がつけられた折目Ｌ３０９１、折目Ｌ３０９２を山折に折曲して前方補強面３０１ＦＡ、３０１ＦＢを形成する。又、予め折り癖がつけられた折目Ｌ３０９５、Ｌ３０９６を折目Ｌ３０２、Ｌ３０３と同様に直角に折曲し、折目Ｌ３０９７を山折に折曲して後方補強面３０１ＲＡ、３０１ＲＢを形成する。
【００３４】
図１３に示した段ボール紙３１０を、図１０に示した前方副緩衝部材３１３の形態に折り上げるには、予め折り癖がつけられた折目Ｌ３１１、Ｌ３１２、Ｌ３１３を同方向に直角に折曲し、略ロ字状に折り上げ、緩やかな斜面の前方支持面３１３Ａを形成する。
【００３５】
図１４に示した段ボール紙３２０を、図１１（ａ）に示した後方副緩衝部材３２３ａの形態に折り上げるには、予め折り癖がつけられた折目Ｌ３２１、Ｌ３２２，Ｌ３２３、Ｌ３２５、Ｌ３２６を同方向に直角に折曲し、折目Ｌ３２４を逆方向に直角に折曲して略カギ状とし、第１の後方支持面３２３Ａを折りたたみ第２の後方支持面３２３Ｂを形成する。この状態から図１１（ｂ）に示した後方副緩衝部材３２３ｂの形態に折り上げるには、逆方向に直角に折曲したＬ３２４を戻して同方向に直角に折曲して略ロ字状とし、折りたたんだ第１の後方支持面３２３Ａを元に戻し、元に戻した第１の後方支持面３２３Ａを形成する。
【００３６】
このようにして折り上げた前方副緩衝部材３１３、後方副緩衝部材３２３（３２３ａ、３２３ｂ）を主緩衝部材３０１の両端に連結して図８に示した他方の緩衝体３０の形態に組み立てるには、先ず、前方副緩衝部材３１３の前方支持面３１３Ａ及び係合溝Ｍ３１１を主緩衝部材３０１の係合溝Ｍ３０２及び係合溝Ｍ３０１に嵌めこみ、係合片Ｐ３１１を主緩衝部材３０１の係合孔Ｒ３０３に係合して前方副緩衝部材３１３を主緩衝部材３０１の一端に連結する。次に、略カギ状に折り上げられた後方副緩衝部材３２３ａの端片Ｔ３２１を主緩衝部材３０１の係合溝Ｍ３０３に挿入し、主緩衝部材３０１の後方補強面３０１ＲＡ、３０１ＲＢを囲むように巻き付け、係合片Ｐ３２１を係合孔Ｒ３２１及び主緩衝部材３０１の係合孔Ｒ３０４に係合して略カギ状の後方副緩衝部材３２３ａを主緩衝部材３０１の他端に連結する。
【００３７】
略カギ状に折り上げられた後方副緩衝部材３２３ａは、第１の後方支持面３２３Ａを折りたたみ第２の後方支持面３２３Ｂで製品の後方を支持する際に、第２の後方支持面３２３Ｂの支持強度を強くするために、第２の後方支持面３２３Ｂに連設する補強面３２３Ｃを直角に折曲し補強面３２３Ｃに設けられた係合片Ｐ３２２を相対する面の係合孔Ｒ３２２に係合して補強材とする。
【００３８】
なお、この略カギ状の後方副緩衝部材３２３ａから略ロ字状の後方副緩衝部材３２３ｂに転換するには、折目Ｌ３２３、Ｌ３２５を元に戻し、折目Ｌ３２４を逆方向から同方向に変えて直角に折曲すれば良い。その際、略ロ字状の後方副緩衝部材３２３ｂは、折りたたんだ第１の後方支持面３２３Ａを元に戻し、元に戻した第１の後方支持面３２３Ａで製品の後方を支持する際に、第１の後方支持面２２３Ａの支持強度を強くするために、第２の後方支持面３２３Ｂに連設する補強面３２３Ｃを鋭角に折曲し補強面３２３Ｃに設けられた係合片Ｐ３２２を主緩衝部材の屈折させた後方補強面の係合孔Ｒ３０５に係合して補強材とする。
【００３９】
以上のようにして組み立てた一方及び他方の緩衝体からなる左右１組の緩衝体１０を外装箱４０に収容し、製品を梱包する使用状態を、図１５〜図２３を参照しながら説明する。先ず、大型製品５０を梱包するには、図１５に示すように、主緩衝部材２０１の両端に、前方副緩衝部材２１３及び略カギ状の後方副緩衝部材２２３ａを連結した一方の緩衝体２０と、主緩衝部材３０１の両端に、前方副緩衝部材３１３及び略カギ状の後方副緩衝部材３２３ａを連結した他方の緩衝体３０を向かい合わせにして外装箱４０に収容する。
【００４０】
外装箱４０に収容した一方の緩衝体２０と他方の緩衝体３０の間に、図１６に示すように、大型製品５０を収納する。その場合、大型製品５０の左右の側面と底面は一方及び他方の主緩衝部材２０１、３０１の垂直支持面２０１Ｖ、３０１Ｖと水平支持面２０１Ｈ、３０１Ｈで支持する。大型製品５０のフロント側５０Ｆは、図１７に示すように、前方副緩衝部材２１３及び３１３の前方支持面２１３Ａ及び３１３Ａで支持する。大型製品５０の背面側５０Ｅは、図１８（ａ）に示すように、後方副緩衝部材２２３ａ及び３２３ａの第２の後方支持面２２３Ｂ及び３２３Ｂで支持する。
【００４１】
なお、略カギ状の後方副緩衝部材２２３ａ、３２３ａを主緩衝部材２０１、３０１に連結するにあたり、略カギ状の後方副緩衝部材２２３ａ、３２３ａが連結される主緩衝部材２０１、３０１の後方補強面２０１ＲＡ、３０１ＲＡは、図１８（ｂ）に示すように、垂直になして、折りたたんだ第１の後方支持面２２３Ａ、３２３Ａの補強材とする。
【００４２】
また、大型製品５０の背面側５０Ｅを略カギ状の後方副緩衝部材２２３ａ、３２３ａの第２の後方支持面２２３Ｂ及び３２３Ｂで支持する際、第２の後方支持面２２３Ｂ及び３２３Ｂの支持強度を強くするために、第２の後方支持面２２３Ｂ及び３２３Ｂに連設する補強面２２３Ｃ及び３２３Ｃを直角に折曲し補強面２２３Ｃ及び３２３Ｃに設けられた係合片Ｐ２２２及びＰ３２２を相対する面の係合孔Ｒ２２２及びＲ３２２に係合して補強材とする（図７、図１４）。
【００４３】
なお、フロント部分５０Ｆが湾曲状５０Ｗをした大型製品５０の場合は、フロント側を支持する前方副緩衝部材２１３及び３１３の前方支持面２３１Ａ及び３１３Ａは緩やかな斜面で形成されるので、図１９に示すように、斜面の途中２１３Ｐで支持される。
【００４４】
次に、小型製品６０を梱包するには、図２０に示すように、主緩衝部材２０１の両端に、前方副緩衝部材２１３及び略ロ字状の後方副緩衝部材２２３ｂを連結した一方の緩衝体２０と、主緩衝部材３０１の両端に、前方副緩衝部材３１３及び略ロ字状の後方副緩衝部材３２３ｂを連結した他方の緩衝体３０を向かい合わせにして外装箱４０に収容する。
【００４５】
外装箱４０に収容した一方の緩衝体２０と他方の緩衝体３０の間に、図２１に示すように、小型製品６０を収納する。その場合、小型製品６０の左右の側面と底面は一方及び他方の主緩衝部材２０１、３０１の垂直支持面２０１Ｖ、３０１Ｖと水平支持面２０１Ｈ、３０１Ｈで支持する。小型製品６０のフロント側６０Ｆは、図２２に示すように、前方副緩衝部材２１３及び３１３の前方支持面２１３Ａ及び３１３Ａで支持する。小型製品６０の背面側６０Ｅは、図２３（ａ）に示すように、後方副緩衝部材２２３ｂ及び３２３ｂの第１の後方支持面２２３Ａ及び３２３Ａで支持する。
【００４６】
なお、略ロ字状の後方副緩衝部材２２３ｂ、３２３ｂを主緩衝部材２０１、３０１に連結するにあたり、略ロ字状の後方副緩衝部材２２３ｂ、３２３ｂが連結される主緩衝部材２０１、３０１の後方補強面２０１ＲＡ、３０１ＲＡは、図２３（ｂ）に示すように、屈折させて、第１の後方支持面２２３Ａ及び３２３Ａの補強材とする。
【００４７】
また、小型製品６０の背面側６０Ｅを略ロ字状の後方副緩衝部材２２３ｂ、３２３ｂの第１の後方支持面２２３Ａ及び３２３Ａで支持する際、第１の後方支持面２２３Ａ及び３２３Ａの支持強度を強くするために、第２の後方支持面２２３Ｂ及び３２３Ｂに連設する補強面２２３Ｃ及び３２３Ｃを鋭角に折曲し補強面２２３Ｃ及び３２３Ｃに設けられた係合片Ｐ２２２及びＰ３２２を主緩衝部材２０１、３０１の屈折させた後方補強面２０１ＲＡ、３０１ＲＡの係合孔Ｒ２０５及びＲ３０５に係合して補強材とする（図５、図１２）。
【００４８】
なお、上記の説明では、収納する製品の奥行きとなる一方を製品の後方、他方を製品の前方とみなして説明したが、収納する製品の奥行きとなる一方を製品の前方、他方を製品の後方とみなし、製品の前方を２つの支持面を有する第１、第２の支持面で支持し、製品の後方を緩やかな斜面の支持面で支持することも可能である。
【００４９】
以上、説明したように、大型製品を梱包する場合、第１の支持面を折りたたみ第２の支持面で支持する略カギ状の副緩衝部材を用い、小型製品を梱包する場合、折りたたんだ第１の支持面を元に戻し、元に戻した第１の支持面で支持する略ロ字状の副緩衝部材を用いるので、スペックの違いにより外形寸法が異なっても一種類の外装箱に統一することが出来るので、外装箱の保管スペースが確保でき、また、保管コストを削減することができ、さらに、外装箱の納品ミスを無くすことが出来る。
【符号の説明】
【００５０】
１０  緩衝体
２０  一方の緩衝体
２０１  一方の主緩衝部材
２０１ＦＡ、２０１ＦＢ  前方補強面
２０１ＲＡ、２０１ＲＢ  後方補強面
２０１Ｈ  水平支持面
２０１Ｖ  垂直支持面
２００  一方の主緩衝部材を展開した段ボール紙
Ｌ２０１〜Ｌ２０９８  予め折り癖がつけられた折目
Ｐ２０１、Ｐ２０２  係合片
Ｒ２０１〜Ｒ２０５  係合孔
Ｍ２０１〜Ｍ２０３  係合溝
２０３  一方の副緩衝部材
２１３  一方の前方副緩衝部材
２１３Ａ  前方支持面
２１０  一方の前方副緩衝部材を展開した段ボール紙
Ｌ２１１〜Ｌ２１３  予め折り癖がつけられた折目
Ｐ２１１  係合片
Ｍ２１１  係合溝
２２３（２２３ａ、２２３ｂ）  一方の後方副緩衝部材
２２３Ａ  第１の後方支持面
２２３Ｂ  第２の後方支持面
２２３Ｃ  補強面
２２０  一方の後方副緩衝部材を展開した段ボール紙
Ｌ２２１〜Ｌ２２６  予め折り癖がつけられた折目
Ｐ２２１、Ｐ２２２  係合片
Ｒ２２１、Ｒ２２２  係合孔
Ｔ２２１  端片
３０  他方の緩衝体
３０１  他方の主緩衝部材
３０１ＦＡ、３０１ＦＢ  前方補強面
３０１ＲＡ、３０１ＲＢ  後方補強面
３０１Ｈ  水平支持面
３０１Ｖ  垂直支持面
３００  他方の主緩衝部材を展開した段ボール紙
Ｌ３０１〜Ｌ３０９８  予め折り癖がつけられた折目
Ｐ３０１、Ｐ３０２  係合片
Ｒ３０１〜Ｒ３０５  係合孔
Ｍ３０１〜Ｍ３０３  係合溝
３０３  他方の副緩衝部材
３１３  他方の前方副緩衝部材
３１３Ａ  前方支持面
３１０  他方の前方副緩衝部材を展開した段ボール紙
Ｌ３１１〜Ｌ３１３  予め折り癖がつけられた折目
Ｐ３１１  係合片
Ｍ３１１  係合溝
３２３（３２３ａ、３２３ｂ）  他方の後方副緩衝部材
３２３Ａ  第１の後方支持面
３２３Ｂ  第２の後方支持面
３２３Ｃ  補強面
３２０  他方の後方副緩衝部材を展開した段ボール紙
Ｌ３２１〜Ｌ３２６  予め折り癖がつけられた折目
Ｐ３２１、Ｐ３２２  係合片
Ｒ３２１、Ｒ３２２  係合孔
Ｔ３２１  端片
４０  外装箱
５０  大型製品
６０  小型製品
【図１】
2011235947.tif 000003
【図２】
2011235947.tif 000004
【図３】
2011235947.tif 000005
【図４】
2011235947.tif 000006
【図５】
2011235947.tif 000007
【図６】
2011235947.tif 000008
【図７】
2011235947.tif 000009
【図８】
2011235947.tif 000010
【図９】
2011235947.tif 000011
【図１０】
2011235947.tif 000012
【図１１】
2011235947.tif 000013
【図１２】
2011235947.tif 000014
【図１３】
2011235947.tif 000015
【図１４】
2011235947.tif 000016
【図１５】
2011235947.tif 000017
【図１６】
2011235947.tif 000018
【図１７】
2011235947.tif 000019
【図１８】
2011235947.tif 000020
【図１９】
2011235947.tif 000021
【図２０】
2011235947.tif 000022
【図２１】
2011235947.tif 000023
【図２２】
2011235947.tif 000024
【図２３】
2011235947.tif 000025